(57)【要約】【課題】扉の見栄えがよい扉ヒンジ装置及び扉装置を提供すること。【解決手段】扉２に取り付けられた可動部２１と、扉２が取り付けられる対象となる取り付け対象物である扉３に取り付けられた固定部３１と、を有する扉ヒンジ装置２０であって、可動部２１は、扉２の内部に配される可動羽部２２と、可動羽部２２に固定され若しくは前記可動羽部２２と一体成型され扉２の内部から扉２の外部へ向かって突出する可動側突出部２５と、可動側突出部２５に設けられ扉２の外部において前記固定部３１と連結される可動側回動軸部２６と、を有し、固定部３１は、扉３の内部に配される固定羽部３２と、固定羽部３２に固定され若しくは固定羽部３２と一体成形され扉３の内部から扉３の外部へ向かって突出する固定側突出部３５と、固定側突出部３５に設けられ扉３の外部において可動部２１と連結される固定側回動軸部３６と、を有している。【選択図】図３
2014091983.tif 000002
【特許請求の範囲】
【請求項１】
扉に取り付けられた可動部と、
前記扉が取り付けられる対象となる取り付け対象物に取り付けられた固定部と、
を有する扉ヒンジ装置であって、
前記可動部は、
前記扉の内部に配される可動羽部と、
前記可動羽部に固定され若しくは前記可動羽部と一体成型され前記扉の内部から前記扉の外部へ向かって突出する可動側突出部と、
前記可動側突出部に設けられ前記扉の外部において前記固定部と連結される可動側回動軸部と、
を有し、
前記固定部は、
前記取り付け対象物の内部に配される固定羽部と、
前記固定羽部に固定され若しくは前記固定羽部と一体成形され前記取り付け対象物の内部から前記取り付け対象物の外部へ向かって突出する固定側突出部と、
前記固定側突出部に設けられ前記取り付け対象物の外部において前記可動部と連結される固定側回動軸部と、
を有している
ことを特徴とする扉ヒンジ装置。
【請求項２】
請求項１に記載の扉ヒンジ装置であって、
前記可動羽部は、
前記扉に前記可動羽部をねじ止めするための可動側ネジ孔と、
前記可動羽部において前記可動側ネジ孔から離間した位置に配され前記扉と係合する可動側突起とを有する
ことを特徴とする扉ヒンジ装置。
【請求項３】
請求項２に記載の扉ヒンジ装置であって、
前記可動側ネジ孔の中心軸線と前記可動側突起の中心軸線とは互いに平行であり、
前記可動側ネジ孔及び前記可動側突起は前記扉における同一の表面に沿って配される
ことを特徴とする扉ヒンジ装置。
【請求項４】
請求項１から請求項３の何れか一方に記載の扉ヒンジ装置であって、
前記固定羽部は、
前記取り付け対象物に前記固定羽部をねじ止めするための固定側ネジ孔と、
前記固定羽部において前記固定側ネジ孔から離間した位置に配され前記取り付け対象物と係合する固定側突起とを有する
ことを特徴とする扉ヒンジ装置。
【請求項５】
請求項４に記載の扉ヒンジ装置であって、
前記固定側ネジ孔の中心軸線と前記固定側突起の中心軸線とは互いに平行であり、
前記固定側ネジ孔及び前記固定側突起は前記扉における同一の表面に沿って配される
ことを特徴とする扉ヒンジ装置。
【請求項６】
請求項１から請求項５の何れか一項に記載の扉ヒンジ装置と、
前記扉と、
前記取り付け対象物と、
を備え、
前記扉は、前記可動側突出部が挿通され前記固定側突出部の一部が入り込む開口を有し、
前記取り付け対象物は、前記固定側突出部が挿通され前記可動側突出部の一部が入り込む開口を有している
ことを特徴とする扉装置。
【発明の詳細な説明】
【技術分野】
【０００１】
本発明は、扉ヒンジ装置及び扉装置に関する。
【背景技術】
【０００２】
従来、開閉動作する扉を枠体に連結するためのヒンジが知られている。例えば、特許文献１には、折り戸用の蝶番が開示されている。特許文献１に開示された蝶番は、扉内に一部が埋没した状態で扉に取り付けられている。
【先行技術文献】
【特許文献】
【０００３】
【特許文献１】特開２０１１−０８０２３６号公報
【発明の概要】
【発明が解決しようとする課題】
【０００４】
しかしながら、特許文献１に記載された蝶番は、蝶番の大部分が扉の側面や内面に露出しているので、扉を開いたときに見栄えが悪いという問題がある。
【０００５】
本発明は、上述した事情に鑑みてなされたものであって、その目的は、扉の見栄えがよい扉ヒンジ装置及び扉装置を提供することである。
【課題を解決するための手段】
【０００６】
本発明の一態様は、扉に取り付けられた可動部と、前記扉が取り付けられる対象となる取り付け対象物に取り付けられた固定部と、を有する扉ヒンジ装置であって、前記可動部は、前記扉の内部に配される可動羽部と、前記可動羽部に固定され若しくは前記可動羽部と一体成型され前記扉の内部から前記扉の外部へ向かって突出する可動側突出部と、前記可動側突出部に設けられ前記扉の外部において前記固定部と連結される可動側回動軸部と、を有し、前記固定部は、前記取り付け対象物の内部に配される固定羽部と、前記固定羽部に固定され若しくは前記固定羽部と一体成形され前記取り付け対象物の内部から前記取り付け対象物の外部へ向かって突出する固定側突出部と、前記固定側突出部に設けられ前記取り付け対象物の外部において前記可動部と連結される固定側回動軸部と、を有していることを特徴とする扉ヒンジ装置である。
【０００７】
また、前記可動羽部は、前記扉に前記可動羽部をねじ止めするための可動側ネジ孔と、前記可動羽部において前記可動側ネジ孔から離間した位置に配され前記扉と係合する可動側突起とを有していてもよい。
【０００８】
また、前記可動側ネジ孔の中心軸線と前記可動側突起の中心軸線とは互いに平行であり、前記可動側ネジ孔及び前記可動側突起は前記扉における同一の表面に沿って配されていてもよい。
【０００９】
また、前記固定羽部は、前記取り付け対象物に前記固定羽部をねじ止めするための固定側ネジ孔と、前記固定羽部において前記固定側ネジ孔から離間した位置に配され前記取り付け対象物と係合する固定側突起とを有していてもよい。
【００１０】
また、前記固定側ネジ孔の中心軸線と前記固定側突起の中心軸線とは互いに平行であり、前記固定側ネジ孔及び前記固定側突起は前記扉における同一の表面に沿って配されていてもよい。
【００１１】
本発明の別の態様は、上記態様の扉ヒンジ装置と、前記扉と、前記取り付け対象物と、を備え、前記扉は、前記可動側突出部が挿通され前記固定側突出部の一部が入り込む開口を有し、前記取り付け対象物は、前記固定側突出部が挿通され前記可動側突出部の一部が入り込む開口を有していることを特徴とする扉装置である。
【発明の効果】
【００１２】
本発明の扉ヒンジ装置は、可動羽部及び固定羽部が扉の内部に配されるので、扉を開いたときの見栄えがよい。
【図面の簡単な説明】
【００１３】
【図１】本発明の一実施形態の扉装置の裏面図である。
【図２】同扉装置の平面図である。
【図３】同扉装置の一部を示す斜視図である。
【図４】同扉装置に設けられた扉ヒンジ装置の斜視図である。
【図５】同扉ヒンジ装置の一部の構成を示す下面図である。
【図６】同扉ヒンジ装置の一部の構成を示す下面図である。
【図７】同扉装置及び同扉ヒンジ装置の作用を説明するための説明図である。
【図８】同扉装置及び同扉ヒンジ装置の作用を説明するための説明図である。
【図９】同扉装置及び同扉ヒンジ装置の作用を説明するための説明図である。
【図１０】同扉装置及び同扉ヒンジ装置の作用を説明するための説明図である。
【発明を実施するための形態】
【００１４】
本発明の一実施形態の扉ヒンジ装置及び扉装置について説明する。図１は、本実施形態の扉装置の裏面図である。図２は、扉装置の平面図である。図３は、扉装置の一部を示す斜視図である。
図１及び図２に示すように、扉装置１は、開閉動作する折り戸を構成する一対の扉２，３を有し、一対の扉２，３の一方（本実施形態では扉３）は、枠体（不図示）に対してヒンジにより回動可能に取り付けられる。一対の扉２，３のうち戸先側に位置する扉２は、一対の扉２，３のうちの吊元側に位置する扉３に対して、本実施形態の扉ヒンジ装置２０を回動中心として回動する。一対の扉２，３のうち吊元側に位置する扉３は、扉２が取り付けられる対象となる「取り付け対象物」である。
【００１５】
扉２及び扉３が閉じられている状態において外側に向けられた面が扉２及び扉３の表面（図２に符号２ａ，３ａで示す）であり、扉２及び扉３が閉じられている状態において内側に向けられた面が扉２及び扉３の裏面（図２に符号２ｂ，３ｂで示す）である。
【００１６】
図３に示すように、扉２及び扉３は、少なくとも扉２と扉３との連結部分において、金属等の板によって成型されてなる中空部２ｃ，３ｃを有している。中空部２ｃ，３ｃは、扉２及び扉３の表面と裏面との間に、扉ヒンジ装置２０を収容するための隙間を有している。
【００１７】
扉２において吊元側に位置する面２ｄには、扉ヒンジ装置２０の一部が挿通される開口４と、扉ヒンジ装置２０の可動部２１を収容するための可動側収容部５とが設けられている。可動側収容部５には、後述する可動側突起２４が挿入される孔６と、可動部２１を扉２に固定するための挿通孔７とが形成されている。また、扉２に設けられた上記開口４には、扉ヒンジ装置２０に設けられた固定側突出部３５の一部が挿入される。
【００１８】
扉３において戸先側に位置する面３ｄには、扉ヒンジ装置２０の一部が挿通される開口８と、扉ヒンジ装置２０の固定部３１を収容するための固定側収容部９とが設けられている。固定側収容部９には、後述する固定側突起３４が挿入される孔１０と、固定部３１を扉３に固定するための挿通孔１１とが形成されている。また、扉３に設けられた上記開口８には、扉ヒンジ装置２０に設けられた可動側突出部２５の一部が挿入される。
【００１９】
図４は、扉装置１に設けられた扉ヒンジ装置２０の斜視図である。図５は、扉ヒンジ装置２０の一部の構成を示す下面図である。図６は、扉ヒンジ装置２０の一部の構成を示す下面図である。
扉ヒンジ装置２０は、図１に示す扉２及び扉３によって折り戸を構成するためのヒンジであり、図１に示すように、扉２，３における上側に１つ（符号２０で示す。）、下側に１つ（符号２０Ｕで示す）設けられている。扉２，３の上側に設けられた扉ヒンジ装置２０と、扉２，３の下側に設けられた扉ヒンジ装置２０Ｕとは、上下対称の形状を有している。以下、扉２，３の上側に設けられた扉ヒンジ装置２０の構成について説明する。また、扉２，３の下側に設けられた扉ヒンジ装置２０Ｕについては、対応する構成要素の符号に「Ｕ」を付すことにより、重複する説明を省略する。また、本明細書では、左右対称となる取り付け状態で扉を連結する扉ヒンジ装置についての説明は省略する。
【００２０】
図１及び図４に示すように、扉ヒンジ装置２０は、扉２に取り付けられた可動部２１と、扉３に取り付けられた固定部３１とを有する。
図４及び図５に示すように、可動部２１は、可動羽部２２と、可動側突出部２５と、可動側回動軸部２６とを有する。
【００２１】
可動羽部２２は、扉２の内部に配され、全体として板状の形状を有している。可動羽部２２は、扉２の裏面２ｂに沿うように扉２の裏面２ｂ（図３参照）に取り付けられる。具体的には、可動羽部２２は、扉２の裏面２ｂにおいて中空部２ｃを構成する板状部材の内面側に配されている。
可動羽部２２には、扉２に可動羽部２２をねじ止めするための可動側ネジ孔２３と、可動羽部２２において可動側ネジ孔２３から離間した位置に配された可動側突起２４とが形成されている。
可動側ネジ孔２３の中心軸線と可動側突起２４の中心軸線とは互いに平行となっている。また、可動側ネジ孔２３及び可動側突起２４は、扉２における同一の面（本実施形態では裏面２ｂ）に沿って配される。
可動側突起２４は、扉２の裏面に形成された孔６と係合する。
【００２２】
可動側突出部２５は、可動羽部２２と一体成型され扉２の内部から扉２の外部へ向かって突出するように成型された構造を有している。本実施形態では、可動側突出部２５は、可動羽部２２に対して９０°折り曲げられた板状形状を有している。また、本実施形態では、可動側突出部２５は、扉２の裏面に可動羽部２２が固定された状態を基準として、扉２の裏面から表面へ向かって延びる水平な板状となっている。なお、可動側突出部２５は、可動羽部２２に固定されていれば可動羽部２２に対して別部材であってもよい。
【００２３】
可動側回動軸部２６は、可動側突出部２５に設けられ、扉２の外部において固定部３１と連結される。本実施形態では、可動側回動軸部２６は、後述する固定側回動軸部３６の軸部材３７が挿通される貫通孔２７が形成された板状部材であり、可動側突出部２５と一体成形されている。可動側回動軸部２６に形成された貫通孔２７の中心軸線は、扉２の表面よりも外側において、扉２の上下方向に向けられている。可動側回動軸部２６は、後述する固定側回動軸部３６とともに、扉３に対する扉２の開閉軸を規定する。本実施形態では、可動側回動軸部２６には、扉２，３の回動角度を規制する部材は設けられていない。
【００２４】
本実施形態では、可動羽部２２、可動側突出部２５、および可動側回動軸部２６は一体成形されている。
【００２５】
図４及び図６に示すように、固定部３１は、固定羽部３２と、固定側突出部３５と固定側回動軸部３６とを有する。
【００２６】
図３に示すように、固定羽部３２は、扉３の内部に配され、全体として板状の形状を有している。固定羽部３２は、扉３の裏面３ｂに沿うように扉３の裏面３ｂに取り付けられる。
固定羽部３２には、扉３に固定羽部３２をねじ止めするための固定側ネジ孔３３と、固定羽部３２において固定側ネジ孔３３から離間した位置に配され扉３と係合する固定側突起３４とが形成されている。
固定側ネジ孔３３の中心軸線と固定側突起３４の中心軸線とは互いに平行となっている。また、固定側ネジ孔３３及び固定側突起３４は、扉３における同一の面（本実施形態では裏面３ｂ）に沿って配されている。
固定側突起３４は、扉３の裏面に形成された孔１０と係合する。
【００２７】
固定側突出部３５は、固定羽部３２と一体成形され扉３の内部から扉３の外部へ向かって突出するように成型された構造を有している。本実施形態では、固定側突出部３５は、固定羽部３２に対して９０°折り曲げられた板状形状を有している。また、本実施形態では、固定側突出部３５は、扉３の裏面に固定羽部３２が固定された状態を基準として、扉３の裏面から表面へ向かって延びる水平な板状となっている。なお、固定側突出部３５は、固定羽部３２に固定されていれば固定羽部３２に対して別部材であってもよい。
【００２８】
固定側回動軸部３６は、前記固定側突出部３５に設けられ扉３の外部において可動部２１と連結される。本実施形態では、固定側回動軸部３６は、可動側回動軸部２６の貫通孔２７に挿通可能な棒状の軸部材３７が突出して形成された略板状部材であり、固定側突出部３５と一体成形されている。軸部材３７は、円柱状に形成されている。固定側回動軸部３６に形成された軸部材３７の中心軸線は、扉３の表面よりも外側において、扉３の上下方向に向けられている。固定側回動軸部３６は、可動側回動軸部２６とともに、扉３に対する扉２の開閉軸を規定する。本実施形態では、固定側回動軸部３６には、扉２，３の回動角度を規制する部材は設けられていない。このため、貫通孔２７に軸部材３７が挿通された状態では、扉２は、貫通孔２７及び軸部材３７の中心軸線を回動中心として扉３に対して１８０°の範囲で自在に回動する。
【００２９】
次に、扉ヒンジ装置２０の作用について説明する。図７ないし図１０は、扉装置１及び扉ヒンジ装置２０の作用を説明するための説明図である。
扉ヒンジ装置２０が扉２および扉３に取り付けられた状態では、図７ないし図９に示すように、扉３に対して扉２が１８０°自在に回動する。すなわち、扉２の表面２ａと扉３の表面３ａとが直線状に並んでいる状態（図７参照）から、扉２の表面２ａが扉３の表面３ａに対向する状態（図９参照）となるまで、扉２は扉３に対して移動可能である。また、扉３は、扉３を枠体に連結する不図示のヒンジを回動軸として回動することによって開閉することもできる。
【００３０】
図９に示すように扉２の表面２ａが扉３の表面３ａと対向する位置関係にあるときには、図１０に示すように扉２における吊元側の端面２ｄと、扉３における戸先側の端面３ｄとが外部に露出しているので、これらの端面２ｄ，３ｄが見えやすい。また、扉２の裏面２ｂは、扉２の表面２ａが扉３の表面３ａと対向する位置関係にあるときには反転した状態となり表側に位置しており、外から見える。ここで、一般的な蝶番は、端面に固定されたり、裏面に固定されたりしているので、このように扉２が折りたたまれると、蝶番が見えてしまい見栄えが悪い。
【００３１】
これに対して、本実施形態の扉ヒンジ装置２０では、可動羽部２２が扉２の内部（中空部２ｃ）に配され、固定羽部３２が扉３の内部（中空部３ｃ）に配されているので、扉ヒンジ装置２０において外部に露出している部分が少なく、見栄えが良い。
【００３２】
また、扉２に形成された開口に固定側突出部３５の一部が入り込むことができ、扉３に形成された開口に可動側突出部２５の一部が入り込むことができるので、扉２の表面２ａと扉３の表面３ａとが直線状に並んでいる状態としたときに、扉２と扉３との隙間を空けておく必要がない。本実施形態では、扉２の表面２ａと扉３の表面３ａとが直線状に並んでいる状態としたときに、扉２と扉３とが隣り合って接していても（端面２ｄ，３ｄ同士が接触していても）、扉３に対して扉２を好適に開閉させることができる。
【００３３】
また、本実施形態では、ネジを利用して可動羽部２２を扉２の裏面２ｂに固定し、さらに可動側突起２４が扉２の孔に入り込むことにより、扉２に対して可動羽部２２が位置決めされる。これにより、可動羽部２２を扉２に取り付ける作業が容易である。
同様に、本実施形態では、ネジを利用して固定羽部３２を扉３の裏面３ｂに固定し、さらに固定側突起３４が扉３の孔に入り込むことにより、扉３に対して固定羽部３２が位置決めされる。これにより、固定羽部３２を扉３に取り付ける作業が容易である。
【００３４】
以上、本発明の実施形態について図面を参照して詳述したが、具体的な構成はこの実施形態に限られるものではなく、本発明の要旨を逸脱しない範囲の設計変更等も含まれる。
例えば、本実施形態では、扉３に対して扉２を１８０°開くことができる構成を例示したが、扉３に対して扉２を開く角度が１８０°未満であってもよい。
また、可動羽部２２に設けられた可動側突起２４は複数であってもよい。また、固定羽部３２に設けられた固定側突起３４は複数であってもよい。
なお、上記具体的な構成に対する設計変更等は上記事項には限定されない。
【符号の説明】
【００３５】
１  扉装置
２  扉
２ａ  表面
２ｂ  裏面
２ｃ  中空部
２ｄ  吊元側の端面
３  扉
３ａ  表面
３ｂ  裏面
３ｃ  中空部
３ｄ  戸先側の端面
４  開口
５  可動側収容部
６  孔
７  挿通孔
８  開口
９  固定側収容部
１０  孔
１１  挿通孔
２０  扉ヒンジ装置
２１  可動部
２２  可動羽部
２３  可動側ネジ孔
２４  可動側突起
２５  可動側突出部
２６  可動側回動軸部
２７  貫通孔
３１  固定部
３２  固定羽部
３３  固定側ネジ孔
３４  固定側突起
３５  固定側突出部
３６  固定側回動軸部
３７  軸部材
【図１】
2014091983.tif 000003
【図２】
2014091983.tif 000004
【図３】
2014091983.tif 000005
【図４】
2014091983.tif 000006
【図５】
2014091983.tif 000007
【図６】
2014091983.tif 000008
【図７】
2014091983.tif 000009
【図８】
2014091983.tif 000010
【図９】
2014091983.tif 000011
【図１０】
2014091983.tif 000012